(57)【要約】【課題】複数の信号が受信される場合の適切な受信処理を可能とした「受信装置」を提供する。【解決手段】ＦＭ放送受信装置１００−１は、それぞれが複数の同一の信号を受信する複数のアンテナ１０及び１１と、アンテナ１０及び１１のそれぞれによって受信された複数の同一の信号の電界強度を検出し、その電界強度に応じて定まる増幅度により、アンテナ１０及び１１のそれぞれによって受信された複数の同一の信号に対する適応処理を行う適応処理部２４と、適応処理後の信号の電界強度を、希望局の信号に対応する所定の電界強度に補正する信号制御用信号レベル生成部２８及び信号処理部３２とを有する。【選択図】図１
2009141478.tif 000002
【特許請求の範囲】
【請求項１】
それぞれが複数の同一の信号を受信する複数のアンテナと、
前記複数のアンテナのそれぞれによって受信された複数の同一の信号の電界強度を検出する電界強度検出手段と、
前記電界強度検出手段により検出された電界強度に応じて定まる増幅度により、前記複数のアンテナのそれぞれによって受信された複数の同一の信号に対する適応処理を行う適応処理手段と、
前記適応処理後の信号の電界強度を、希望局の信号に対応する所定の電界強度に補正する電界強度補正手段とを有する受信装置。
【請求項２】
前記電界強度補正手段は、前記適応処理後の信号の電界強度を、前記電界強度検出手段により検出された電界強度から、前記適応処理手段における増幅度に所定係数を乗じた値を減じて得られる補正値に応じて補正する請求項１に記載の受信装置。
【請求項３】
前記電界強度補正手段は、前記補正値が予め定められた制限値以下となる場合に、前記補正値を前記制限値に補正する請求項２に記載の受信装置。
【請求項４】
それぞれが複数の同一の信号を受信する複数のアンテナと、
前記複数のアンテナのそれぞれによって受信された複数の同一の信号の電界強度を検出する電界強度検出手段と、
前記電界強度検出手段により検出された電界強度に応じて定まる増幅度により、前記複数のアンテナのそれぞれによって受信された複数の同一の信号に対する適応処理を行う適応処理手段と、
前記適応処理手段における増幅値が予め定められた所定値を超えるか否かを判定する判定手段と、
前記適応処理手段における増幅値が予め定められた所定値を超える場合に、前記適応処理手段に再度の適応処理を行わせる制御を行う制御手段とを有する受信装置。
【請求項５】
前記制御手段は、所定時間以上、前記適応処理手段における増幅値が予め定められた所定値を超える場合に、前記適応処理手段に再度の適応処理を行わせる制御を行う請求項４に記載の受信装置。
【請求項６】
前記制御手段は、前記判定手段によって前記適応処理手段における増幅値が予め定められた所定値を超えると判定されたことにより、前記適応処理手段に再度の適応処理を行わせる制御を行った後に、前記判定手段によって前記適応処理手段における増幅値が予め定められた所定値以下であると判定された場合に、前記適応処理手段に対して元の適応処理に復帰させる制御を行う請求項５に記載の受信装置。
【発明の詳細な説明】
【技術分野】
【０００１】
本発明は、ＦＭ放送等を受信する受信装置に関する。
【背景技術】
【０００２】
ＦＭ放送受信装置には、妨害特性の改善を主目的としてＣＭＡ（constant modulus Algorithm）によって、複数のアンテナが受信した信号を合成する適応処理を行うものがある。ＣＭＡによる適応処理とは、希望の放送信号（希望局信号）と、希望局信号と同一周波数で存在する他の放送信号（非希望局信号）とが同時に受信される場合に、出力される信号の振幅変動成分が最小になるように、複数のアンテナから入力された信号についての振幅／位相を可変し、合成する処理である。このようなＣＭＡによる適応処理が行われる場合、希望局信号がマルチパス等によって、その振幅変動成分が非希望局信号のそれよりも大きい場合、非希望局信号が選択されて復調されてしまうという現象が生じることがある。特にＦＭ放送受信装置が車両に搭載される場合には、車両の移動に伴って周辺環境が変動するため、キャプチャ現象が生じやすいが、上述の挙動によってキャプチャ現象が更に助長された状態となる。
【０００３】
キャプチャ現象を抑制すべく、特許文献１では、受信した放送信号から当該放送信号に含まれる送信元放送局の識別情報を検出し、その識別情報に対応する放送局が希望局信号の送信元でない場合には、適応処理の初期化及び再始動を行う。
【特許文献１】特開２００６−２３８２９５号公報
【発明の開示】
【発明が解決しようとする課題】
【０００４】
ところで、上述したＣＭＡによる適応処理が行われる場合には、受信した放送信号のうちの最大の電界強度に基づいて、適応処理後の放送信号の電界強度が設定される。従って、振幅変動成分が大きく、電界強度の強い信号と、振幅変動成分が小さく、電界強度の弱い信号とが同時に受信されると、振幅変動成分が小さい方の信号の電界強度が必要以上に増幅され、且つ、振幅変動成分の大きい方の信号の電界強度が減衰されることがある。そして、この増幅によって、信号と当該信号に重畳されるノイズ成分とが同一の増幅量となる結果、電界強度の弱いはずの信号（Ｃ／Ｎ比が低い信号）について、音声が聴き取りづらくなるという問題がある。
【０００５】
例えば、Ｃ／Ｎ比の高い信号の受信電界強度が４０［dBuV］、Ｃ／Ｎ比の低い信号の受信電界強度が２０［dBuV］である場合を考える。この場合、ＣＭＡによる適応処理では、Ｃ／Ｎ比が高い信号が選択されて、当該信号の受信電界強度４０［dBuV］に対応する増幅度で増幅される。しかし、本来であれば、信号の受信電界強度が２０［dBuV］である場合には、当該受信電界強度２０［dBuV］に対応する増幅度で増幅されることが望ましい。
【０００６】
また、ＣＭＡによる適応処理に際して増幅が行われることに応じて、キャプチャ現象を抑制する必要もある。
【０００７】
本発明の目的は、上述した問題を解決するものであり、複数の信号が受信される場合の適切な受信処理を可能とした受信装置を提供するものである。
【課題を解決するための手段】
【０００８】
本発明に係る受信装置は、それぞれが複数の同一の信号を受信する複数のアンテナと、前記複数のアンテナのそれぞれによって受信された複数の同一の信号の電界強度を検出する電界強度検出手段と、前記電界強度検出手段により検出された電界強度に応じて定まる増幅度により、前記複数のアンテナのそれぞれによって受信された複数の同一の信号に対する適応処理を行う適応処理手段と、前記適応処理後の信号の電界強度を、希望局の信号に対応する所定の電界強度に補正する電界強度補正手段とを有する。
【０００９】
この構成によれば、適応処理後の信号の電界強度が、希望局信号に対応する所定の電界強度に補正され得るため、希望局信号に含まれるノイズ成分が必要以上に増幅されて音声が聴き取りづらくなることが防止される。
【００１０】
同様の観点から本発明の受信装置は、前記電界強度補正手段が、前記適応処理後の信号の電界強度を、前記電界強度検出手段により検出された電界強度から、前記適応処理手段における増幅度に所定係数を乗じた値を減じて得られる補正値に応じて補正するようにしてもよい。
【００１１】
また、本発明の受信装置は、前記電界強度補正手段が、前記補正値が予め定められた制限値以下となる場合に、前記補正値を前記制限値に補正するようにしてもよい。
【００１２】
この構成によれば、制限値を設けることで、補正によって適応処理後の信号の電界強度が必要以上に弱くなってしまうことが防止される。
【００１３】
本発明に係る受信装置は、それぞれが複数の同一の信号を受信する複数のアンテナと、前記複数のアンテナのそれぞれによって受信された複数の同一の信号の電界強度を検出する電界強度検出手段と、前記電界強度検出手段により検出された電界強度に応じて定まる増幅度により、前記複数のアンテナのそれぞれによって受信された複数の同一の信号に対する適応処理を行う適応処理手段と、前記適応処理手段における増幅値が予め定められた所定値を超えるか否かを判定する判定手段と、前記適応処理手段における増幅値が予め定められた所定値を超える場合に、前記適応処理手段に再度の適応処理を行わせる制御を行う制御手段とを有する。
【００１４】
この構成によれば、適応処理における増幅値が所定値を超える場合には、キャプチャ現象によって適応処理後の信号が希望局信号でなくなったとみなし、再度の適応処理を行わせることで、適応処理後の信号を希望局の信号とすることが可能となる。
【００１５】
同様の観点から本発明の受信装置は、前記制御手段が、所定時間以上、前記適応処理手段における増幅値が予め定められた所定値を超える場合に、前記適応処理手段に再度の適応処理を行わせる制御を行うようにしてもよい。
【００１６】
同様の観点から本発明の受信装置は、前記制御手段が、前記判定手段によって前記適応処理手段における増幅値が予め定められた所定値を超えると判定されたことにより、前記適応処理手段に再度の適応処理を行わせる制御を行った後に、前記判定手段によって前記適応処理手段における増幅値が予め定められた所定値以下であると判定された場合に、前記適応処理手段に元の適応処理に復帰させる制御を行うようにしてもよい。
【発明の効果】
【００１７】
本発明によれば、複数の信号が受信される場合の適切な受信処理を可能となる。
【発明を実施するための最良の形態】
【００１８】
以下、本発明の実施の形態について、図面を参照して具体的に説明する。図１は、本発明の実施形態に係る受信装置としての第１のＦＭ放送受信装置の構成を示す図である。図１に示すＦＭ放送受信装置１００−１は、アンテナ１０及び１１、増幅器１２及び１４、重み付け部１６及び１８、加算器２０、タイマ内蔵制御部２２、適応処理部２４、ＦＭ検波器２６、信号制御用信号レベル生成部２８、加算器３０、信号処理部３２、スピーカ３４により構成される。
【００１９】
２つのアンテナ１０及び１１は、アダプティブアレイアンテナを構成する。これら２つのアンテナ１０及び１１は、放送局からのＦＭ放送信号を受信信号として受信し、後段に出力する。本実施形態では、アンテナ１０によって受信される受信信号を受信信号１とし、アンテナ１１によって受信される受信信号を受信信号２とする。なお、本実施形態における受信信号は、ＦＭ放送信号にＲＤＳ（Radio Data System）データが多重化された信号とするが、これに限定されない。
【００２０】
アンテナ１０の後段には増幅器１２が接続され、アンテナ１１の後段には増幅器１４が接続されている。増幅器１２は、アンテナ１０によって受信された受信信号１を増幅し、増幅器１４は、アンテナ１１によって受信された受信信号２を増幅し、それぞれ後段へ出力する。
【００２１】
増幅器１２の後段には重み付け部１６が接続されている。重み付け部１６には、増幅器１２からの増幅後の受信信号１が入力される。この重み付け部１６は、適応信号処理において一般的に使用されているイコライザ（ＦＩＲフィルタ）と同等の構成及び機能を有しており、増幅器１２からの増幅後の受信信号１に対し、位相及びゲインについての重み係数に応じた重み付けを行い、その重み付けがなされた受信信号１を出力する。
【００２２】
同様に、増幅器１４の後段には重み付け部１８が接続されている。重み付け部１８には、増幅器１４からの増幅後の受信信号２が入力される。この重み付け部１８は、適応信号処理において一般的に使用されているイコライザ（ＦＩＲフィルタ）と同等の構成及び機能を有しており、増幅器１４からの増幅後の受信信号２に対し、位相及びゲインについての重み係数に応じた重み付けを行い、その重み付けがなされた受信信号２を出力する。
【００２３】
上述したように、重み付け部１６及び１８による増幅後の受信信号１及び受信信号２に対する重み付けが行われることにより、受信信号１及び受信信号２の位相及びゲインが重み係数に応じた値に設定され、対応するアンテナ１０及び１１の指向性、換言すれば、放射パターンが形成される。
【００２４】
重み付け部１６及び１８の後段には、加算器２０が接続されている。この加算器２０は、重み付け部１６からの重み付け後の受信信号１と、重み付け部１８からの重み付け後の受信信号２とを入力する。そして加算器２０は、これら重み付け後の受信信号１及び受信信号２を加算して、受信信号３として後段へ出力する。
【００２５】
加算器２０の後段には、適応処理部２４が接続されている。この適応処理部２４は、加算器２０から出力された受信信号３を入力する。また、適応処理部２４は、アンテナ１０及び１１の後段に接続されており、これらアンテナ１０及び１１によって受信された受信信号１及び受信信号２を入力する。そして、適応処理部２４は、タイマ内蔵制御部２２による制御によって、加算器２０からの受信信号３と、アンテナ１０からの受信信号１及びアンテナ１１からの受信信号２とに基づいて、重み付け部１６及び重み付け部１８に設定すべき最適な位相及びゲインについての重み付け係数を決定する。更に、適応処理部２４は、その決定した重み係数を重み付け部１６及び１８にそれぞれ設定する。適応処理部２４によって設定される重み係数は、例えば、ＬＭＳ（Least Mean Square） 等の適応アルゴリズムを用いることにより、当該適応処理部２４に入力される各受信信号の変化に応じて逐次最適な値に更新される。
【００２６】
これにより、受信信号１及び受信信号２の位相及びゲインを、重み係数の更新に伴って最適な値に変更することができ、アンテナ１０及び１１の指向性を最適な状態とすることが可能となる。具体的には、適応処理部２４は、アンテナ１０によって希望局信号と非希望局信号とを含む受信信号１が受信され、アンテナ１１によって希望局信号と非希望局信号とを含む受信信号２が受信される場合に、受信信号１及び２のそれぞれの希望局信号及び非希望局信号の電界強度を測定する。そして、適応処理部２４は、受信信号３としての希望局信号の電界強度が、その測定によって得られた最大の電界強度となるように、最適な重み係数を設定する。更に、適応処理部２４は、設定した重み係数に応じて定まるゲインに所定の係数（０〜１の値）を乗じて、得られた電界強度を後段に出力する。
【００２７】
また、加算器２０の後段には、ＦＭ検波器２６が接続されている。このＦＭ検波器２６は、加算器２０からの受信信号３を入力し、当該受信信号３を検波することによって音声信号を取得し、後段に出力する。
【００２８】
また、アンテナ１０及び１１の後段には、信号制御用信号レベル生成部２８が接続されている。この信号制御用信号レベル生成部２８は、アンテナ１０によって受信された受信信号１及びアンテナ１１によって受信された受信信号２のそれぞれについて、電界強度を検出する。更に、信号制御用信号レベル生成部２８は、検出した電界強度の平均値を算出する。あるいは、信号制御用信号レベル生成部２８は、検出した電界強度のうちの最大の電界強度を特定する。これにより、受信された受信信号１及び受信信号２の電界強度に基づく１つの電界強度が定まる。更に、信号制御用信号レベル生成部２８は、定めた電界強度を後段に出力する。
【００２９】
適応処理部２４の後段及び信号制御用信号レベル生成部２８の後段には、加算器３０が接続されている。この加算器３０は、適応処理部２４からのゲインに所定の係数を乗じて得られる電界強度と、信号制御用信号レベル生成部２８からの電界強度とを入力する。そして、加算器３０は、信号制御用信号レベル生成部２８からの電界強度から適応処理部２４からの重み係数に所定の係数を乗じて得られる電界強度を減じて電界強度を得る。この減算により得られた電界強度は、制御用信号として後段に出力される。
【００３０】
ＦＭ検波器２６の後段及び加算器３０の後段には、信号処理部３２が接続されている。この信号処理部３２は、ＦＭ検波器２６における検波処理が行われた受信信号３から、ＰＩ（Program Identity）が含まれたＲＤＳデータを取得する。また、信号処理部３２は、加算器３０からの制御用信号に基づいて、受信信号３に対するミュート、ハイカット、ブレンドの各信号処理を行い、音声信号を得る。ここでは、制御用信号で示される電界強度が強いほど、音声信号の電界強度が大きくなるような信号処理が行われる。
【００３１】
図２は、信号処理部３２の入出力特性を示す表であり、図３は、信号処理部３２の入出力特性を示すグラフである。図２及び図３において、特性Ｏは出力音声信号特性、特性Ｎが出力ノイズ特性、特性Ｃはチャンネルセパレーション特性、特性Ｈはハイカット特性をそれぞれ示す。また、図２及び図３では、Ｓメータ信号の電圧レベルと受信電界強度との関係が特性Ｓで示されている。
【００３２】
信号処理部３２の後段には、スピーカ３４が接続されており、当該スピーカ３４によって音声信号に基づく音声出力が行われる。
【００３３】
このように、ＦＭ放送受信装置１００−１では、信号制御用信号レベル生成部２８によって定められた、受信信号１及び受信信号２の電界強度に基づく１つの電界強度がそのまま制御用信号として、信号処理部３２における信号処理に用いられるのではなく、その電界強度からゲインに所定の係数を乗じた電界強度を減じて得られる電界強度が制御用信号となって、信号処理部３２における信号処理に用いられる。これにより、適応処理後の信号の電界強度を、希望局信号に対応する所定の電界強度に補正することができる。従って、希望局信号に含まれるノイズ成分が必要以上に増幅されて音声が聴き取りづらくなることが防止される。
【００３４】
例えば、図４に示すように、受信信号１及び受信信号２にそれぞれ希望局信号ｆｄと非希望局信号ｆｕｄが含まれており、非希望局信号ｆｕｄの方が電界強度の強い場合を考える。この場合、ＦＭ放送受信装置１００−１では、適応処理と制御用信号に基づく信号処理とが行われることにより、希望局信号ｆｄは適切な電界強度とすることができ、非希望局信号ｆｕｄは電界強度を下げることができる。
【００３５】
図５は、本発明の実施形態に係る受信装置としての第２のＦＭ放送受信装置の構成を示す図である。図５に示すＦＭ放送受信装置１００−２は、図１に示すＦＭ放送受信装置１００−１と比較すると、適応処理部２４の後段であって加算器３０の前段に増幅器３６が備えられている。この増幅器３６は、適応処理部２４からのゲインに所定の係数を乗じた値を増幅度αで増幅し、後段の加算器３０へ出力する。加算器３０は、増幅器３６からの増幅後のゲインに所定の係数を乗じて得られる電界強度と、信号制御用信号レベル生成部２８からの電界強度とを入力する。そして、加算器３０は、信号制御用信号レベル生成部２８からの電界強度から、増幅器３６からの増幅後のゲインに所定の係数を乗じて得られる電界強度を減じる。この減算により得られた電界強度は、増幅器３６に入力される。
【００３６】
増幅器３６は、加算器３０における減算により得られた電界強度が予め定められた制限値以下となる場合には、増幅度αを小さくする。ここで、制限値は、信号処理部３２においてミュート処理が行われる場合の制御用信号によって示される電界強度の最低値であり、例えば、１０乃至１５［dBuV］である。増幅器３６は、適応処理部２４からのゲインに所定の係数を乗じた値を、この変更後の増幅度αで増幅し、後段の加算器３０に出力する。加算器３０は、再び、信号制御用信号レベル生成部２８からの電界強度から、増幅器３６からの増幅後のゲインに所定の係数を乗じて得られる電界強度を減じて電界強度を得て、制御用信号として後段の信号処理部３２に出力する。信号処理部３２は、加算器３０からの制御用信号に基づいて、受信信号３に対するミュート、ハイカット、ブレンドの各信号処理を行い、音声信号を得る。
【００３７】
このように、ＦＭ放送受信装置１００−２では、制御用信号にて示される電界強度が、信号処理部３２においてミュート処理が行われる場合の制御用信号によって示される電界強度の最低値以上となるように制御されることで、信号処理部３２が出力する音声信号の信号レベルが必要以上に弱くなってしまうことが防止される。
【００３８】
図６は、本発明の実施形態に係る受信装置としての第３のＦＭ放送受信装置の構成を示す図である。図３に示すＦＭ放送受信装置１００−３は、図１に示すＦＭ放送受信装置１００−１と比較すると、加算器２０の後段であってＦＭ検波器２６の前段に増幅器３８が備えられている。
【００３９】
適応処理部２４は、図１に示すＦＭ放送受信装置１００−１の場合と同様、設定した重み係数に応じて定まるゲインに所定の係数を乗じて、電界強度を得る。そして、適応処理部２４は、得られた電界強度を増幅器３８に出力する。
【００４０】
増幅器３８は、加算器２０からの受信信号３と、適応処理部２４からの電界強度とを入力する。更に、増幅部３８は、適応処理部２４からの電界強度に応じて、加算器２０からの受信信号３を増幅する。ここでは、適応処理部２４からの電界強度が大きいほど、受信信号３に対する増幅度を下げる。増幅後の受信信号３は、後段のＦＭ検波器２６及び信号処理部３２へ出力される。
【００４１】
ＦＭ検波器２６は、増幅器３８からの増幅後の受信信号３を入力し、当該受信信号３を検波することによって音声信号を取得し、後段の信号処理部３２に出力する。信号処理部３２は、ＦＭ検波器２６における検波処理が行われた受信信号３から、ＰＩ（Program Identity）が含まれたＲＤＳデータを取得する。また、信号処理部３２は、増幅器３８からの増幅後の受信信号３の電界強度を制御用信号として、受信信号３に対するミュート、ハイカット、ブレンドの各信号処理を行い、音声信号を得る。この音声信号は、スピーカ３４に出力され、当該音声信号に基づく音声出力が行われる。
【００４２】
このように、ＦＭ放送受信装置１００−３では、適応処理部２４において、重み係数に応じて定まるゲインに所定の係数を乗じて得られる電界強度が大きい場合には、適応処理によって希望局信号が必要以上に増幅されてしまうものとみなして、増幅器３８が増幅率を下げることで、希望局信号に対応する所定の電界強度に補正することができる。
【００４３】
次に、上述したＦＭ放送受信装置１００−１乃至１００−３における適応処理の制御を、フローチャートを参照しつつ説明する。
【００４４】
図７は、適応処理の制御を示すフローチャートである。このフローチャートで示す動作は、随時繰り返されるものである。タイマ内蔵制御部２２は、適応処理部２４からの増幅値を取得する（Ｓ１０１）。この増幅値は、適応処理部２４において、設定した重み係数に応じて定まるゲインである。次に、タイマ内蔵制御部２２は、取得した増幅値が予め定められた値βを超えるか否かを判定する（Ｓ１０２）。
【００４５】
増幅値がβを超える場合には、キャプチャ現象によって適応処理後の信号が希望局信号でなくなったとみなされる。この場合、タイマ内蔵制御部２２は、内蔵するタイマ（図示せず）がカウント中であるか否かを判定する（Ｓ１０３）。カウント中でない場合には、当該タイマによるカウントを開始する（Ｓ１０４）。
【００４６】
一方、内蔵するタイマがカウント中である場合には、次に、タイマ内蔵制御部２２は、タイマのカウント値が所定値γを超えたか否か、換言すれば、タイマのカウントを開始してから当該カウント値γに対応する所定時間が経過したか否かを判定する（Ｓ１０５）。カウント値がγを超えていない場合には、一連の動作が終了する。
【００４７】
一方、カウント値がγを超えている場合には、タイマ内蔵制御部２２は、適応処理部２４に対して、再度の適応処理を指示する。適応処理部２４は、この指示に応じて、再度の適応処理を行う（Ｓ１０６）。ここでは、適応処理部２４は、適応処理のリセットや重み係数の変更を行う。このように、再度の適応処理が行われることで、キャプチャ現象が継続されることを抑制し、適応処理後の信号を希望局信号とさせることが可能となる。
【００４８】
また、Ｓ１０２において増幅値がβ以下であると判定した場合には、タイマ内蔵制御部２２は、タイマをリセットする（Ｓ１０７）。更に、制御部２２は、実行中の適応処理がＳ１０６において行われた再処理であるか否かを判定する（Ｓ１０８）。再処理でない場合には、一連の動作を終了する。一方、再処理である場合には、タイマ内蔵制御部２２は、適応処理部２４に対し、元の適応処理に復帰するように指示する。適応処理部２４は、この指示に応じて元の適応処理に復帰する（Ｓ１０９）。例えば、適応処理部２４は、Ｓ１０６の再処理において適応処理をリセットした場合には、リセット前の適応処理に復帰する。また、適応処理部２４は、Ｓ１０６の再処理において重み係数を変更した場合には、変更前の重み係数に戻す。
【００４９】
このように、適応処理における増幅値が所定値を超える場合には、キャプチャ現象によって適応処理後の信号が希望局信号でなくなったとみなし、再度の適応処理を行わせることで、適応処理後の信号を希望局信号とすることが可能となる。
【００５０】
なお、上述した実施形態では、ＦＭ放送を受信する受信装置について説明したが、他の放送を受信する受信装置についても、放送信号が振幅に情報を有しないものであれば、同様に本発明を適用することが可能である。
【産業上の利用可能性】
【００５１】
以上、説明したように、本発明に係る受信装置は、複数の信号が受信される場合の適切な受信処理が可能であり、受信装置として有用である。
【図面の簡単な説明】
【００５２】
【図１】本発明の実施形態に係る第１のＦＭ放送受信装置の構成を示す図である。
【図２】信号処理部の入出力特性を示す表である。
【図３】信号処理部の入出力特性を示すグラフである。
【図４】第１のＦＭ放送受信装置における受信処理の概要を示す図である。
【図５】本発明の実施形態に係る第２のＦＭ放送受信装置の構成を示す図である。
【図６】本発明の実施形態に係る第３のＦＭ放送受信装置の構成を示す図である。
【図７】適応処理の制御を示すフローチャートである。
【符号の説明】
【００５３】
１０、１１  アンテナ
１２、１４、３６、３８  増幅器
１６、１８  重み付け部
２０、３０  加算器
２２  タイマ内蔵制御部
２４  適応処理部
２６  ＦＭ検波器
２８  信号制御用信号レベル生成部
３２  信号処理部
３４  スピーカ
１００−１、１００−２、１００−３  ＦＭ放送受信装置
【図１】
2009141478.tif 000003
【図２】
2009141478.tif 000004
【図３】
2009141478.tif 000005
【図４】
2009141478.tif 000006
【図５】
2009141478.tif 000007
【図６】
2009141478.tif 000008
【図７】
2009141478.tif 000009